(57)【要約】【課題】監視システム、及び監視装置において、監視専用の機器やソフトウェアを用いることなく、浴槽の水温状態の変化及びガス漏れの検出状態の変化をユーザに知らせる。【解決手段】監視装置はＵＰｎＰ  ＡＶ仕様に基づくデバイス、及びコンテンツディレクトリとして、テレビはコントロールポイントとして機能する。テレビ５は監視装置２に対して、監視装置２側のセンサ一覧の要求を送信する（Ｓ３）。ユーザがテレビ５の操作部を操作することにより、監視装置２から取得したリストの中からガスの検出状態に基づくコンテンツの取得を選択すると、テレビ５は、監視装置２に対して、ガスの検出状態に基づいたコンテンツを要求するためのＨＴＴＰ−ＧＥＴリクエストを送信する（Ｓ５）。このリクエストを受信したセンサ制御部は、テレビ５から要求があったコンテンツをＨＤＤから取得した後、取得したコンテンツをテレビ５に送信する（Ｓ６）。【選択図】図７
2007336213.tif 000002
【特許請求の範囲】
【請求項１】
室内のガス、及び浴槽の水温等を検出する監視装置と、この監視装置とネットワークを介して接続されたテレビジョン受像機とを含み、
前記監視装置は、
浴槽の水温等の状態を検出する第１センサ手段と、
ガスを検出する第２センサ手段と、
前記第１センサ手段により検出された浴槽の水温状態に基づいた画像コンテンツと、前記第２センサ手段により検出されたガスの検出状態に基づいた警告音コンテンツとを生成するコンテンツ生成手段と、
前記コンテンツ生成手段により生成された画像コンテンツ及び警告音コンテンツ（以下、「コンテンツ」と略す）を含むデータを記録する記録手段と、
装置各部を制御する監視制御手段とを備え、
前記テレビジョン受像機は、
前記監視装置から送信された前記コンテンツを受信するためのコンテンツ受信手段と、
前記コンテンツ受信手段により受信された前記画像コンテンツを出力する映像表示手段と、
前記コンテンツ受信手段により受信された前記警告音コンテンツを出力する音声出力手段とを備えた監視システムにおいて、
前記監視装置と前記テレビジョン受像機とは、ＵＰｎＰ（Ｕｎｉｖｅｒｓａｌ  Ｐｌｕｇ  ａｎｄ  Ｐｌａｙ）の規格に従って通信を行い、
前記監視装置は、
前記記録手段に記録された前記コンテンツに変化があったときに、該記録手段に記録されたデータに変化があったことを示す記録手段状態変数と、前記画像コンテンツ又は警告音コンテンツに変化があったことを示すコンテンツ状態変数とを含むメッセージを前記テレビジョン受像機に通知する状態変化通知手段と、
前記テレビジョン受像機から送信されたリクエストメッセージを受信するリクエスト受信手段と、
前記リクエスト受信手段により受信したリクエストメッセージに応じて、前記記録手段から前記コンテンツを取得するコンテンツ取得手段と、
前記リクエストメッセージに応答するレスポンスメッセージとして、前記コンテンツ取得手段により取得した前記コンテンツを前記テレビジョン受像機に送信するレスポンス送信手段とをさらに備え、
前記テレビジョン受像機は、
前記監視装置に前記コンテンツを要求するリクエストメッセージの送信を行うためのリクエスト送信手段をさらに備え、
前記リクエスト送信手段が送信する前記リクエストメッセージは、ＨＴＴＰ（ＨｙｐｅｒＴｅｘｔ  Ｔｒａｎｓｆｅｒ  Ｐｒｏｔｏｃｏｌ）−ＧＥＴメソッドに基づくＨＴＴＰリクエストメッセージであり、
前記監視制御手段は、
前記第１センサ手段により浴槽の水温状態の変化が検出されるか、又は前記第２センサ手段によりガスの検出状態の変化が検出されると、前記コンテンツ生成手段を用いて、前記画像コンテンツ又は前記警告音コンテンツを生成し、生成したコンテンツを前記記録手段に記録した後、前記状態変化通知手段を用いて、前記メッセージを前記テレビジョン受像機に通知し、
前記テレビジョン受像機から送信された前記コンテンツのリクエストメッセージを前記リクエスト受信手段を用いて受信すると、前記コンテンツ取得手段を用いて、前記テレビジョン受像機から要求があったコンテンツを前記記録手段から取得した後、前記レスポンス送信手段により、前記取得したコンテンツを該テレビジョン受像機に送信し、
前記テレビジョン受像機が、
前記レスポンス送信手段により送信されたコンテンツを前記映像表示手段、又は前記音声出力手段を用いて出力することを特徴とする監視システム。
【請求項２】
画像コンテンツ、又は警告音コンテンツを要求するリクエストメッセージを送信するテレビジョン受像機にネットワークを介して接続され、
浴槽の水温等の状態を検出する第１センサ手段と、
ガスを検出する第２センサ手段と、
前記第１センサ手段により検出された浴槽の水温状態に基づいた画像コンテンツと、前記第２センサ手段により検出されたガスの検出状態に基づいた警告音コンテンツとを生成するコンテンツ生成手段と、
前記コンテンツ生成手段により生成された画像コンテンツ及び警告音コンテンツ（以下、「コンテンツ」と略す）を記録する記録手段と、
装置各部を制御する監視制御手段とを備えた監視装置において、
前記記録手段に記録されたコンテンツに変化があったときに、該記録手段に記録されたコンテンツに変化があったことを示す状態変数を含むメッセージを前記テレビジョン受像機に通知する状態変化通知手段と、
前記テレビジョン受像機から送信されたリクエストメッセージを受信するリクエスト受信手段と、
前記リクエスト受信手段により受信したリクエストメッセージに応じて、前記記録手段からコンテンツを取得するコンテンツ取得手段と、
前記リクエストメッセージに応答するレスポンスメッセージとして、前記コンテンツ取得手段により取得したコンテンツを前記テレビジョン受像機に送信するレスポンス送信手段とをさらに備え、
ＵＰｎＰ（Ｕｎｉｖｅｒｓａｌ  Ｐｌｕｇ  ａｎｄ  Ｐｌａｙ）の規格に従って前記テレビジョン受像機と通信を行い、
前記監視制御手段は、
前記第１センサ手段により浴槽の水温状態の変化が検出されるか、又は前記第２センサ手段によりガスの検出状態の変化が検出されると、前記コンテンツ生成手段を用いて、前記画像コンテンツ、又は前記警告音コンテンツを生成し、生成したコンテンツを前記記録手段に記録した後、前記状態変化通知手段を用いて、前記メッセージを前記テレビジョン受像機に通知し、
前記テレビジョン受像機から送信された前記コンテンツのリクエストメッセージを前記リクエスト受信手段を用いて受信すると、前記コンテンツ取得手段を用いて、前記テレビジョン受像機から要求があったコンテンツを前記記録手段から取得した後、前記レスポンス送信手段により、前記取得した画像コンテンツを前記テレビジョン受像機に送信することを特徴とする監視装置。
【請求項３】
前記記録手段に記録された前記コンテンツに変化があったとき、前記テレビジョン受像機に通知される前記メッセージは、該記録手段に記録されたデータに変化があったことを示す記録手段状態変数と、前記画像コンテンツ又は前記警告音コンテンツに変化があったことを示すコンテンツ状態変数とを含むことを特徴とする請求項２に記載の監視装置。
【発明の詳細な説明】
【技術分野】
【０００１】
本発明は、監視システム、及び監視装置に関する。
【背景技術】
【０００２】
近年、ＤＬＮＡ（Ｄｉｇｉｔａｌ  Ｌｉｖｉｎｇ  Ｎｅｔｗｏｒｋ  Ａｌｌｉａｎｃｅ）に対応したテレビジョン受像機、パソコン、ハードディスクレコーダなどの情報機器を、ネットワークを介して接続し、これらの機器同士がＵＰｎＰ（Ｕｎｉｖｅｒｓａｌ  Ｐｌｕｇ  ａｎｄ  Ｐｌａｙ）規格に従って通信を行うものが普及している。
【０００３】
また、従来、浴槽の水温状態やガス漏れ等を監視する監視装置とテレビジョン受像機等の機器とをネットワークを介して接続し、ＴＣＰ／ＩＰなどを基本とした独自のプロトコルを使用して浴槽の水温状態やガス漏れ等の状態の変化をテレビジョン受像機等の機器に通知するものが知られている。しかし、従来の監視装置では、ネットワークを介して浴槽の水温状態やガス漏れ等の状態の変化を通知するために、独自プロトコルに対応した専用機器や専用ソフトウェアを導入する必要があるためコストがかかるという問題がある。
【０００４】
ところで、この種の監視システムにおいて、特許文献１の発明は、機器種別に応じたルールフォーマットが格納されているデータベースにネットワークを介して接続され、従来にない新種の機器がネットワークに接続された場合に、新種の機器の機器種別とデータベースに格納されているルールフォーマットとを比較し、最適なルールフォーマットを取得することにより機器制御を円滑に行うことができるシステムである。また、特許文献２の発明は、ネットワーク内に存在する複数の機器から制御情報を取得し、取得した制御情報に基づいて、制御対象とすべき機器を自動的に選択するものである。
【０００５】
また、特許文献３の発明は、デバイスディスクリプションの再構築ができないＵＰｎＰ仕様のネットワーク機器であっても、デバイスディスクリプションを再構築することを可能とし、再構築したことを他のネットワーク機器に通知することができるものである。また、特許文献４の発明は、ユーザからの制御指示なしに、ユーザの行動パターンに応じた遠隔制御を情報家電機器に対してすることを可能としたミドルウェアである。
【０００６】
しかし、上記特許文献１乃至特許文献４に記載された発明では、上記問題を解決することができない。
【特許文献１】特開２００５−２６０９１９号公報
【特許文献２】特開２００５−２１７９７４号公報
【特許文献３】特開２００５−１８２４８１号公報
【特許文献４】特開２００４−２５８８０９号公報
【発明の開示】
【発明が解決しようとする課題】
【０００７】
本発明は、監視専用の機器やソフトウェアを用いることなく、浴槽の水温状態の変化、及びガス漏れの検出状態の変化をユーザに知らせることができるようにして、安価な監視システム、及び監視装置を提供することを目的とする。
【課題を解決するための手段】
【０００８】
上記目的を達成するために請求項１の発明は、室内のガス、及び浴槽の水温等を検出する監視装置と、この監視装置とネットワークを介して接続されたテレビジョン受像機とを含み、前記監視装置は、浴槽の水温等の状態を検出する第１センサ手段と、ガスを検出する第２センサ手段と、前記第１センサ手段により検出された浴槽の水温状態に基づいた画像コンテンツと、前記第２センサ手段により検出されたガスの検出状態に基づいた警告音コンテンツとを生成するコンテンツ生成手段と、前記コンテンツ生成手段により生成された画像コンテンツ及び警告音コンテンツ（以下、「コンテンツ」と略す）を含むデータを記録する記録手段と、装置各部を制御する監視制御手段とを備え、前記テレビジョン受像機は、前記監視装置から送信された前記コンテンツを受信するためのコンテンツ受信手段と、前記コンテンツ受信手段により受信された前記画像コンテンツを出力する映像表示手段と、前記コンテンツ受信手段により受信された前記警告音コンテンツを出力する音声出力手段とを備えた監視システムにおいて、前記監視装置と前記テレビジョン受像機とは、ＵＰｎＰ（Ｕｎｉｖｅｒｓａｌ  Ｐｌｕｇ  ａｎｄ  Ｐｌａｙ）の規格に従って通信を行い、前記監視装置は、前記記録手段に記録された前記コンテンツに変化があったときに、該記録手段に記録されたデータに変化があったことを示す記録手段状態変数と、前記画像コンテンツ又は警告音コンテンツに変化があったことを示すコンテンツ状態変数とを含むメッセージを前記テレビジョン受像機に通知する状態変化通知手段と、前記テレビジョン受像機から送信されたリクエストメッセージを受信するリクエスト受信手段と、前記リクエスト受信手段により受信したリクエストメッセージに応じて、前記記録手段から前記コンテンツを取得するコンテンツ取得手段と、前記リクエストメッセージに応答するレスポンスメッセージとして、前記コンテンツ取得手段により取得した前記コンテンツを前記テレビジョン受像機に送信するレスポンス送信手段とをさらに備え、前記テレビジョン受像機は、前記監視装置に前記コンテンツを要求するリクエストメッセージの送信を行うためのリクエスト送信手段をさらに備え、前記リクエスト送信手段が送信する前記リクエストメッセージは、ＨＴＴＰ（ＨｙｐｅｒＴｅｘｔ  Ｔｒａｎｓｆｅｒ  Ｐｒｏｔｏｃｏｌ）−ＧＥＴメソッドに基づくＨＴＴＰリクエストメッセージであり、前記監視制御手段は、前記第１センサ手段により浴槽の水温状態の変化が検出されるか、又は前記第２センサ手段によりガスの検出状態の変化が検出されると、前記コンテンツ生成手段を用いて、前記画像コンテンツ又は前記警告音コンテンツを生成し、生成したコンテンツを前記記録手段に記録した後、前記状態変化通知手段を用いて、前記メッセージを前記テレビジョン受像機に通知し、前記テレビジョン受像機から送信された前記コンテンツのリクエストメッセージを前記リクエスト受信手段を用いて受信すると、前記コンテンツ取得手段を用いて、前記テレビジョン受像機から要求があったコンテンツを前記記録手段から取得した後、前記レスポンス送信手段により、前記取得したコンテンツを該テレビジョン受像機に送信し、前記テレビジ��ン受像機が、前記レスポンス送信手段により送信されたコンテンツを前記映像表示手段、又は前記音声出力手段を用いて出力するものである。
【０００９】
請求項２の発明は、画像コンテンツ、又は警告音コンテンツを要求するリクエストメッセージを送信するテレビジョン受像機にネットワークを介して接続され、浴槽の水温等の状態を検出する第１センサ手段と、ガスを検出する第２センサ手段と、前記第１センサ手段により検出された浴槽の水温状態に基づいた画像コンテンツと、前記第２センサ手段により検出されたガスの検出状態に基づいた警告音コンテンツとを生成するコンテンツ生成手段と、前記コンテンツ生成手段により生成された画像コンテンツ及び警告音コンテンツ（以下、「コンテンツ」と略す）を記録する記録手段と、装置各部を制御する監視制御手段とを備えた監視装置において、前記記録手段に記録されたコンテンツに変化があったときに、該記録手段に記録されたコンテンツに変化があったことを示す状態変数を含むメッセージを前記テレビジョン受像機に通知する状態変化通知手段と、前記テレビジョン受像機から送信されたリクエストメッセージを受信するリクエスト受信手段と、前記リクエスト受信手段により受信したリクエストメッセージに応じて、前記記録手段からコンテンツを取得するコンテンツ取得手段と、前記リクエストメッセージに応答するレスポンスメッセージとして、前記コンテンツ取得手段により取得したコンテンツを前記テレビジョン受像機に送信するレスポンス送信手段とをさらに備え、ＵＰｎＰ（Ｕｎｉｖｅｒｓａｌ  Ｐｌｕｇ  ａｎｄ  Ｐｌａｙ）の規格に従って前記テレビジョン受像機と通信を行い、前記監視制御手段は、前記第１センサ手段により浴槽の水温状態の変化が検出されるか、又は前記第２センサ手段によりガスの検出状態の変化が検出されると、前記コンテンツ生成手段を用いて、前記画像コンテンツ、又は前記警告音コンテンツを生成し、生成したコンテンツを前記記録手段に記録した後、前記状態変化通知手段を用いて、前記メッセージを前記テレビジョン受像機に通知し、前記テレビジョン受像機から送信された前記コンテンツのリクエストメッセージを前記リクエスト受信手段を用いて受信すると、前記コンテンツ取得手段を用いて、前記テレビジョン受像機から要求があったコンテンツを前記記録手段から取得した後、前記レスポンス送信手段により、前記取得した画像コンテンツを前記テレビジョン受像機に送信するものである。
【００１０】
請求項３の発明は、請求項２に記載の監視装置において、前記記録手段に記録された前記コンテンツに変化があったとき、前記テレビジョン受像機に通知される前記メッセージは、該記録手段に記録されたデータに変化があったことを示す記録手段状態変数と、前記画像コンテンツ又は前記警告音コンテンツに変化があったことを示すコンテンツ状態変数とを含むものである。
【発明の効果】
【００１１】
請求項１の発明によれば、浴槽の水温状態又はガスの検出状態に変化があったときに、監視装置が、浴槽の水温状態に基づく画像コンテンツと、ガスの検出状態に基づく警告音コンテンツとを、汎用のＵＰｎＰ規格に対応したテレビジョン受像機に送信し、テレビジョン受像機は受信した画像コンテンツと警告音コンテンツとを、映像表示手段及び音声出力手段に出力することができる。そのため、ユーザは、独自プロトコルに対応した専用機器や専用ソフトウェア等の導入コストをかけることなしに、汎用のＵＰｎＰ規格に対応したテレビジョン受像機を用いて浴槽の水温状態及びガス漏れを知ることができる。これにより、監視装置を含む監視システム全体の生産コストを低減させることができる。
【００１２】
請求項２の発明によれば、浴槽の水温状態又はガスの検出状態に変化があったときに、監視装置が、浴槽の水温状態に基づく画像コンテンツと、ガスの検出状態に基づく警告音コンテンツとを、汎用のＵＰｎＰ規格に対応したテレビジョン受像機に送信し、テレビジョン受像機は受信した画像コンテンツ及び警告音コンテンツを、映像表示手段及び音声出力手段に出力することができる。そのため、ユーザは、独自プロトコルに対応した専用機器や専用ソフトウェア等の導入コストをかけることなしに、汎用のＵＰｎＰ規格に対応したテレビジョン受像機を用いて浴槽の水温状態及びガス漏れを知ることができる。これにより、監視装置を含む監視システム全体の生産コストを低減させることができる。
【００１３】
請求項３の発明によれば、請求項２に記載の発明の効果を的確に得ることができる。
【発明を実施するための最良の形態】
【００１４】
以下、本発明の一実施形態について、図１乃至図６を参照して説明する。図１は浴槽３の水温、及び家屋６内のガス漏れ等を検出する監視装置２と、この監視装置２にネットワーク４を介して接続されたネットワークテレビ５（請求項におけるテレビジョン受像機；以下、テレビと略す）とを含む監視システム１の構成を示し、図２は浴槽３の外観を示し、図３は監視装置２の外観を示し、図４はテレビ５の外観を示す。図５は監視装置２の内部構成を示し、図６はテレビ５の内部構成を示す。
【００１５】
監視装置２、及びテレビ５は、ＵＰｎＰ（Ｕｎｉｖｅｒｓａｌ  Ｐｌｕｇ  ａｎｄ  Ｐｌａｙ）ＡＶ（Ａｕｄｉｏ  Ｖｉｓｕａｌ）規格に従ってネットワーク通信を行う機器とする。ＵＰｎＰ規格対応機器は、互いの機器間で、ＸＭＬ（ｅＸｔｅｎｓｉｂｌｅ  Ｍａｒｋｕｐ  Ｌａｎｇｕａｇｅ）に準拠したメタデータを交換し、各機器の操作方法や、お互いに連携する際の手順を規格として定め、その規格に従って動作する。そのため、ネットワーク上のＵＰｎＰ規格対応機器の追加や削除を容易に行うことができるという利点がある。
【００１６】
監視装置２は、ＵＰｎＰ  ＡＶ仕様に基づくメディアサーバに相当するデバイスであり、コンテンツ一覧の取得等の制御を行うコンテンツディレクトリとして機能し、テレビ５に対して、Ｎｏｔｉｆｙ等のコマンドを送信するものとする。テレビ５は、ＵＰｎＰ  ＡＶ仕様に基づくコンテンツの要求等を行うコントロールポイントとして機能し、監視装置２に対して、ＳｕｂｓｃｒｉｂｅやＳｅａｒｃｈ等のコマンドを送信するものとする。
【００１７】
監視装置２は、図２、図３、及び図５に示すように、浴槽３の水温状態を検出する水温センサ部２１（第１センサ手段）と、ガスを検出するガス漏れセンサ部２４（第２センサ手段）と、画像コンテンツ及び警告音コンテンツ（以下、「コンテンツ」と略す）を作成するコンテンツ生成部２６（コンテンツ生成手段）と、コンテンツ生成部２６により生成されたコンテンツを記録するハードディスク２５（請求項における記録手段；以下、ＨＤＤという）とを備える。また、監視装置２は、ＵＰｎＰ  ＡＶの規格に従って通信を行い、テレビ５に対してコンテンツ等のデータの送受信を行うためのネットワークインタフェース２７と、装置各部を制御するセンサ制御部２９（監視制御手段）と、センサ制御部２９の動作プログラムを格納するＲＯＭ２８と、監視状態等を表示するディスプレイ２３と、警告音を出力するスピーカ２２とをさらに備える。コンテンツ生成部２６は、水温センサ部２１により検出された浴槽３の水温状態に基づいた画像コンテンツである「水温画像コンテンツ」と、ガス漏れセンサ部２４により検出されたガスの検出状態に基づいた音声コンテンツである「ガス警告音コンテンツ」及び画像コンテンツである「ガス警告画像コンテンツ」とを生成する。なお、ここでは、水温センサ部２１により検出された浴槽３の水温状態に基づいて生成されるコンテンツが画像コンテンツのみである場合について示したが、これに限られず、水温センサ部２１により検出された浴槽３の水温状態に基づく音声コンテンツをコンテンツ生成部２６が作成してもよい。
【００１８】
センサ制御部２９は、請求項における状態変化通知手段、リクエスト受信手段、コンテンツ取得手段、レスポンス送信手段として機能する。また、センサ制御部２９は、ＵＰｎＰ  ＡＶ仕様に基づくコンテンツディレクトリサービス（以下、ＣＤＳという）、及び各種ＨＴＴＰメッセージの送受信を行うＨＴＴＰサーバとして動作し、ＨＤＤ２５に記録されているコンテンツの取得、及び検索等を行う。
【００１９】
テレビ５は、図４及び図６に示すように、ＵＰｎＰ  ＡＶの規格に従って監視装置２と通信を行い、監視装置２から送信されたコンテンツの受信、及び監視装置２にコンテンツを要求するリクエストメッセージの送信を行うためのネットワークインタフェース５４（コンテンツ受信手段、リクエスト送信手段）と、ユーザが操作するためのボタン等を有する操作部５３と、装置各部を制御する制御用マイコン５５と、制御用マイコン５５の動作プログラムを格納するＲＯＭ５６とを備える。また、テレビ５は、ネットワークインタフェース５４により受信した画像コンテンツを出力するディスプレイ５１（映像表示手段）と、ネットワークインタフェース５４により受信した音声コンテンツを出力するスピーカ５２（音声出力手段）とを備える。なお、テレビ５が監視装置２に対して送信するリクエストメッセージは、ＨＴＴＰ（ＨｙｐｅｒＴｅｘｔ  Ｔｒａｎｓｆｅｒ  Ｐｒｏｔｏｃｏｌ）−ＧＥＴメソッドに基づくＨＴＴＰリクエストメッセージである。
【００２０】
次に、テレビ５から監視装置２に対してガスの検出状態に基づくコンテンツの要求を行うときの監視装置２とテレビ５の処理手順について、図７を参照して説明する。まず、テレビ５は、監視装置２に対して、ＨＤＤ２５に記録されたコンテンツに変化があったときにテレビ５に通知する旨のイベント通知要求（Ｓｕｂｓｃｒｉｂｅ）コマンドを送信する（Ｓ１）。監視装置２のセンサ制御部２９は、これに対して「２００  ＯＫ」等のコマンド登録に成功した旨のメッセージをテレビ５に返送する。次に、テレビ５は、監視装置２に対して、監視装置が検出しているセンサ一覧を要求するコマンド（Ｂｒｏｗｓｅ、Ｓｅａｒｃｈ）を送信する（Ｓ３）。センサ制御部２９は、これに対して水温センサ部２１及びガス漏れセンサ部２４により検出される浴槽３の水温状態及びガスの検出状態を示すリストをテレビ５に返送する（Ｓ４）。なお、リストは、ＸＭＬに準拠したメタデータであり、詳細を後述する。
【００２１】
ユーザがテレビ５の操作部５３を操作することにより、上記Ｓ４で取得したリストの中からガスの検出状態に基づくコンテンツの取得を選択すると、テレビ５は、監視装置２に対して、ガスの検出状態に基づいたコンテンツを要求するためのＨＴＴＰ−ＧＥＴリクエストを送信する（Ｓ５）。このＨＴＴＰ−ＧＥＴリクエストを受信したセンサ制御部２９は、テレビ５から要求があったコンテンツをＨＤＤ２５から取得した後、取得したコンテンツをテレビ５に送信する（Ｓ６）。
【００２２】
次に、監視装置２がテレビ５に送信するリストの例について、図８を参照して説明する。リスト７は、ＸＭＬによるＤＩＤＬ−Ｌｉｔｅスキーマで記述したものであり、各センサ部が＜ｉｔｅｍ＞タグを用いて列挙されている。コンテンツの場所を示すＵＲＩ（Ｕｎｉｆｏｒｍ  Ｒｅｓｏｕｒｃｅ  Ｉｄｅｎｔｉｆｉｅｒｓ；以下、コンテンツＵＲＩという）は、＜ｒｅｓ＞タグを用いて示されており、＜ｒｅｓ＞タグは、＜ｉｔｅｍ＞タグに囲まれている。図７に示す点線部７１は、水温センサ部２１が検出した状態に基づく「水温画像コンテンツ」の場所を示すコンテンツＵＲＩ等から成る記述である。図７に示す点線部７２は、ガス漏れセンサ部２４が検出した検出状態に基づく「ガス警告画像コンテンツ」及び「ガス警告音コンテンツ」の場所を示すコンテンツＵＲＩ等から成る記述である。前出の図７に示した、テレビ５が監視装置２に対して送信するＨＴＴＰ−ＧＥＴリクエストは、「ｈｔｔｐ：／／１９２．１６８．０．２／ｇａｓ＿ｊｐｇ」等のＵＲＩであり、センサ制御部２９は、このＵＲＩに示されたコンテンツをＨＤＤ２５から取得した後、テレビ５に送信する。また、水温センサ部２１又はガス漏れセンサ部２４によって検出状態の変化が検出されたとき、コンテンツ生成部２６によって生成されるコンテンツの内容のみが変わり、上述したコンテンツＵＲＩは変わらない。
【００２３】
次に、監視装置２がテレビ５に送信するコンテンツの例について、図９を参照して説明する。ここでは、テレビ５がガスの検出状態に基づくコンテンツの取得要求を行ったものとし、図９はガスの検出状態に基づく「ガス警告画像コンテンツ」８の例を示す。「ガス警告画像コンテンツ」８は、例えば、ファイル名がｇａｓ＿ｓｔａｔｕｓ．ｊｐｇ等であるＪＰＥＧ形式の画像コンテンツのファイルであり、ガスの検出状態に異常がないことを示している。テレビ５は、図９に示した画像コンテンツ８をディスプレイ５１に表示することにより、ユーザにガス漏れしていないことを通知することができる。なお、ここでは画像コンテンツのファイル形式がＪＰＥＧ形式である場合の例について示したが、これに限られず、テレビ５が表示可能な形式であればよい。また、テレビ５が、ガスの検出状態に基づく「ガス警告音コンテンツ」を取得し、このコンテンツの内容についてスピーカ５２を用いて出力し、ユーザにガスの検出状態を通知するものであってもよい。
【００２４】
次に、ガスの検出状態の変化を検出したときの監視装置２とテレビ５の処理手順について、図１０乃至図１２を参照して説明する。図１０及び図１１は、監視装置２とテレビ５の処理を示し、図１２はテレビ５が取得する「ガス警告画像コンテンツ」９を示す。テレビ５は監視装置２に対し、イベント通知要求コマンドの送信を予め行ったものとする。ガス漏れセンサ部２４は随時、ガスの検出状態が変化したか否かの検出を行い（Ｓ１１）、ガスの検出状態が変化したことを検出すると、コンテンツ生成部２６に対して、ガスの検出状態が変化した旨の通知を行う（Ｓ１２）。なお、ガスの検出状態が変化した旨を通知するタイミングは、ユーザが任意に設定できるものとする。例えば、ガスの濃度について閾値を設けて、ガスの濃度がこの閾値を超えたとき、ガス漏れセンサ部２４が上記Ｓ１２の処理を行うものであってもよい。また、閾値は、ユーザにより任意の値に設定することができる。
【００２５】
上記Ｓ１２においてガス漏れセンサ部２４から通知を受信したコンテンツ生成部２６は、ガスの検出状態に基づいたコンテンツを生成し、生成したコンテンツをＨＤＤ２５に記録した後（Ｓ１３）、コンテンツを生成してＨＤＤ２５に記録した旨をセンサ制御部２９（ＣＤＳ）に通知する（Ｓ１４）。コンテンツ生成部２６から通知を受信したセンサ制御部２９は、テレビ５に対してＨＤＤ２５に記録されたコンテンツに変化があった旨のメッセージを通知し、テレビ５がこのメッセージを受信する（Ｓ１５）。Ｓ１５においてテレビ５に通知されるメッセージは、コンテンツを記録しているＨＤＤ２５に変化があったことを通知するＨＤＤ状態変数（請求項における記録手段状態変数；ＵＰｎＰ  ＡＶ規格におけるＳｙｓｔｅｍＵｐｄａｔｅＩＤ）と、「水温画像コンテンツ」、「ガス警告画像コンテンツ」及び「ガス警告音コンテンツ」のそれぞれのコンテンツの変化を通知することができるコンテンツ状態変数（ＵＰｎＰ  ＡＶ規格におけるＣｏｎｔａｉｎｅｒＵｐｄａｔｅＩＤ）とを含むものである。コンテンツ状態変数は公開しているコンテンツ単位に設けることができる。そのため、テレビ５は、ＨＤＤ２５に変化があったことをＨＤＤ状態変数から知ることができる。また、テレビ５は、どのコンテンツに変化があったかどうかをコンテンツ状態変数から知ることができるので、監視装置２の全てのコンテンツを取得して状態が変化したコンテンツを判断する手間を軽減することができ、検出状態が変化したコンテンツを容易に知ることができる。
【００２６】
上記Ｓ１５において、監視装置２からメッセージを受信したテレビ５は、前出の図７に示したＳ３及びＳ４と同様の処理を行い、各センサ部のリストを取得した後（Ｓ１６、Ｓ１７）、監視装置２から受信したメッセージに含まれるコンテンツ状態変数から状態が変化したコンテンツを判断して、状態が変化したコンテンツのＵＲＩを取得する。そして、テレビ５は、取得したＵＲＩに基づくＨＴＴＰ−ＧＥＴリクエストを監視装置２に送信し（Ｓ１８）、このＨＴＴＰ−ＧＥＴリクエストを受信した監視装置２のセンサ制御部２９は、テレビ５から要求があったコンテンツをＨＤＤ２５から取得した後、取得したコンテンツをテレビ５に送信する（Ｓ１９）。例えば、上記Ｓ１５において、テレビ５が受信したメッセージに含まれるコンテンツ状態変数が「ガス警告画像コンテンツ」の変化を示している場合、テレビ５は、「ガス警告画像コンテンツ」を要求するＨＴＴＰ−ＧＥＴリクエストを監視装置２に送信する。そして、テレビ５は、図１２に示すように、ガス漏れが発生している旨のメッセージである「ガス警告画像コンテンツ」９を取得し、取得した「ガス警告画像コンテンツ」９をディスプレイ５１に表示する。従って、ユーザは、テレビ５を用いてガスの検出状態が変化したこと、例えば、「ガス漏れが発生している」ことを知ることができる。
【００２７】
上記実施形態によれば、浴槽３の水温状態又はガスの検出状態に変化があったときに、監視装置２が、浴槽３の水温状態に基づく画像コンテンツと、ガスの検出状態に基づく警告音コンテンツとを、汎用のＵＰｎＰ規格に対応したテレビ５に送信し、テレビ５は受信した画像コンテンツと警告音コンテンツとを、ディスプレイ５１及びスピーカ５２に出力することができる。そのため、ユーザは、独自プロトコルに対応した専用機器や専用ソフトウェア等の導入コストをかけることなしに、汎用のＵＰｎＰ規格に対応したテレビ５を用いて浴槽３の水温状態及びガス漏れを知ることができる。
【００２８】
なお、上記実施形態では、浴槽３の水温状態及びガスの検出状態に基づくコンテンツをテレビ５が取得する場合の例を示したが、これに限られず、ＵＰｎＰ規格に対応したパソコンがコンテンツを取得するものであってもよい。
【図面の簡単な説明】
【００２９】
【図１】本発明の一実施形態に係る監視装置と、テレビとを含む監視システムの概略の構成図。
【図２】上記浴槽の外観を示す斜視図。
【図３】上記監視装置の外観を示す斜視図。
【図４】上記テレビの外観を示す斜視図。
【図５】上記監視装置の内部構成を示すブロック図。
【図６】上記テレビの内部構成を示すブロック図。
【図７】上記テレビが監視装置に対してガスの検出状態に基づくコンテンツの要求を行う際の処理手順を示すフローチャート。
【図８】上記監視装置がテレビに送信するリストの例を示す図。
【図９】上記監視装置が送信するガスの検出状態に基づくコンテンツの例を示す図。
【図１０】上記監視装置がガスの検出状態の変化を検出した時の監視装置の処理の手順を示すフローチャート。
【図１１】上記監視装置がガスの検出状態の変化を検出した時の監視装置とテレビの処理の手順を示すフローチャート。
【図１２】上記ガスの検出状態に基づく画像コンテンツの例を示す図。
【符号の説明】
【００３０】
１  監視システム
２  監視装置
３  浴槽
４  ネットワーク
５  テレビ（テレビジョン受像機）
６  画像コンテンツ
７  画像コンテンツ
８  画像コンテンツ
２１  水温センサ部（第１センサ手段）
２４  ガス漏れセンサ部（第２センサ手段）
２５  ＨＤＤ（記録手段）
２６  コンテンツ生成部（コンテンツ生成手段）
２９  センサ制御部（監視制御手段）
５１  ディスプレイ（映像表示手段）
５２  スピーカ（音声出力手段）
【図１】
2007336213.tif 000003
【図２】
2007336213.tif 000004
【図３】
2007336213.tif 000005
【図４】
2007336213.tif 000006
【図５】
2007336213.tif 000007
【図６】
2007336213.tif 000008
【図７】
2007336213.tif 000009
【図８】
2007336213.tif 000010
【図９】
2007336213.tif 000011
【図１０】
2007336213.tif 000012
【図１１】
2007336213.tif 000013
【図１２】
2007336213.tif 000014